(57)【特許請求の範囲】
【請求項１】
天板部（１２）とその両側縁から下向きに折曲する一対の側板部（１４）を具備する断面コ字形の器具本体（１０）を備え、前記器具本体（１０）の下方側に配置される反射板（２０）を備え、前記器具本体（１０）に装着される反射板取付け台（３０）を備え、前記反射板取付け台（３０）と前記反射板（２０）との間を回転操作にともなって着脱する回転引掛形のターンファスナ（４０）を備え、前記天板部（１２）における前記各側板部（１４）寄りの位置に差込み孔（１６）を形成し、前記各側板部（１４）における前記差込み孔（１６）に隣接する位置に係合受け部（１８）を形成し、前記反射板取付け台（３０）は上側が開口するようにＣ字状に曲成された弾力性を有する板材であり、前記反射板取付け台（３０）の両端の脚部（３２）は前記天板部（１２）の上面に接し、前記各脚部（３２）に前記天板部（１２）の上面から前記差込み孔（１６）へ差込まれて係合する切起し部（３４）を設け、前記切起し部（３４）に前記係合受け部（１８）と弾発的に係合する係合部（３６）を設けたことを特徴とする蛍光灯器具の反射板固定装置。
【発明の詳細な説明】
【０００１】
【発明の属する技術分野】
本発明は、天板部１２とその両側縁から下向きに折曲する一対の側板部１４を具備する断面コ字形の器具本体１０を備え、前記器具本体１０の下方側に配置される反射板２０を備え、前記器具本体１０に装着される反射板取付け台３０を備え、前記反射板取付け台３０と前記反射板２０との間を回転操作にともなって着脱する回転引掛形のターンファスナ４０を備える蛍光灯器具の反射板固定装置に関するものである。
【０００２】
【従来の技術】
前記構造の蛍光灯器具ないしは反射板固定装置は既知であり、工場あるいは店舗等の照明に現に利用されている。それは図４のようなものである。天板部１２とその両側縁から下向きに折曲する一対の側板部１４を具備する断面コ字形の器具本体１０を備える。器具本体１０の下方側に配置される反射板２０を備える。前記器具本体１０に装着される反射板取付け台３０を備える。前記反射板取付け台３０と前記反射板２０との間を回転操作にともなって着脱する回転引掛形のターンファスナ４０を備える。５０は器具本体１０を固定する天井面である。反射板２０は逆富士形を呈し、その両端は天井面５０に軽く接合する。図外の点灯回路部品は、器具本体１０下面における、反射板取付け台３０を避けた位置に適宜に固定される。図外の蛍光ランプは反射板２０の下面中央に配置される。２灯の場合は反射板２０の各傾斜面の下側に配置される。蛍光ランプのための図外のランプソケットの主要部は、器具本体１０から反射板２０を貫通してその下側に延在する。
【０００３】
【発明が解決しようとする課題】
前記反射板取付け台３０を器具本体１０の下面中央に一対の止めねじ３９を用いて装着するが、その装着に手間がかかる。また、反射板取付け台３０が器具本体１０の下面中央に位置するので、点灯回路部品配置の妨げとなる。さらに、天井面５０・反射板２０間の隙間をターンファスナ４０で吸収することが難しく、密着性が悪い。本発明の目的は、反射板取付け台３０の装着が容易であり、また反射板取付け台３０が点灯回路部品配置の妨げとならず、さらに、天井面５０・反射板２０間の密着性のよい反射板固定装置を提供することである。
【０００４】
【課題を解決するための手段】
本発明は、天板部１２とその両側縁から下向きに折曲する一対の側板部１４を具備する断面コ字形の器具本体１０を備える。前記器具本体１０の下方側に配置される反射板２０を備える。前記器具本体１０に装着される反射板取付け台３０を備える。前記反射板取付け台３０と前記反射板２０との間を回転操作にともなって着脱する回転引掛形のターンファスナ４０を備える。
本発明においては、前記天板部１２における前記各側板部１４寄りの位置に差込み孔１６を形成する。前記各側板部１４における前記差込み孔１６に隣接する位置に係合受け部１８を形成する。
前記反射板取付け台３０は上側が開口するようにＣ字状に曲成された弾力性を有する板材である。前記反射板取付け台３０の両端の脚部３２は前記天板部１２の上面に接する。前記各脚部３２に前記差込み孔１６へ差込まれて係合する切起し部３４を設ける。前記切起し部３４に前記係合受け部１８と弾発的に係合する係合部３６を設ける。
【０００５】
【発明の実施の形態】
図１〜図３を用いて本発明の実施形態について説明する。なお、前記図４の部品符号をなるべくそのまま転用し、重複する説明の一部を適宜に割愛する。本発明に係る蛍光灯器具の反射板固定装置は、天板部１２とその両側縁から下向きに折曲する一対の側板部１４を具備する断面コ字形の器具本体１０を備える。器具本体１０の下方側に配置される反射板２０を備える。前記器具本体１０に装着される反射板取付け台３０を備える。前記反射板取付け台３０と前記反射板２０との間を回転操作にともなって着脱する回転引掛形のターンファスナ４０を備える。天板部１２における各側板部１４寄りの位置に差込み孔１６を形成する。各側板部１４における差込み孔１６に隣接する位置に係合受け部１８を形成する。反射板取付け台３０は上側が開口するようにＣ字状に曲成された弾力性を有する板材である。反射板取付け台３０の両端の脚部３２は天板部１２の上面に接する。各脚部３２に差込み孔１６へ差込まれて係合する切起し部３４を設ける。切起し部３４に係合受け部１８と弾発的に係合する係合部３６を設ける。補足して説明する。側板部１４は器具本体１０を補強する。天板部１２に押出部１９があり、その箇所が天井面５０に当接する。差込み孔１６は角孔である。係合受け部１８も角孔である。反射板取付け台３０は帯状金属材である。反射板取付け台３０は変形六角形状を呈する。係合部３６は切起し形の爪であり、切起し部３４の先端付近に形成される。ターンファスナ４０の頭部は反射板取付け台３０の下部中央に形成された受孔３８と係合する。反射板取付け台３０の装着は切起し部３４を差込み孔１６へ差込んで行う。この際に脚部３２を強めに押すと、係合部３６・係合受け部１８間が弾発的に係合し簡単には抜けなくなる。図１の破線は反射板取付け台３０の原形状であり、それが変形して実線形状の現形状となる。現形状の反射板取付け台３０はターンファスナ４０を引き上げ、反射板２０の各側縁２２を天井面５０に密着させるように働く。反射板取付け台３０のＣ字形の形状はそのための弾力が作用し易い形状である。また、反射板取付け台３０の内腔は器具本体１０の下面に位置するが、そこを占拠しないのでそこに図外の点灯回路部品の一部ないしは全部を配置することが可能となる。
【０００６】
【発明の効果】
本発明は、器具本体の天板部１２に差込み孔１６を形成し、器具本体の各側板部１４に係合受け部１８を形成し、Ｃ字状に曲成された弾力性を有する反射板取付け台３０の両端の脚部３２に切起し部３４および係合部３６を設け、以上の各部を所要のごとくに係合させたものである。これによれば、反射板取付け台３０の装着が容易であり、また反射板取付け台３０が点灯回路部品配置の妨げとならず、天井面５０・反射板２０間の密着性のよい反射板固定装置を提供することができる。
【図面の簡単な説明】
【図１】  本発明に係るの反射板固定装置の断面図である。
【図２】  その器具本体を示す要部斜視図である。
【図３】  その反射板取付け台を示す斜視図である。
【図４】  従来の反射板固定装置を示す断面図である。
【符号の説明】
１０：器具本体
１２：天板部
１４：側板部
１６：差込み孔
１８：係合受け部
１９：押出部
２０：反射板
３０：反射板取付け台
３２：脚部
３４：切起し部
３６：係合部
３８：受孔
４０：ターンファスナ
５０：天井面
【図１】
0004054922.tif 000002
【図２】
0004054922.tif 000003
【図３】
0004054922.tif 000004
【図４】
0004054922.tif 000005